(57)【要約】【課題】配送用の容器に仮貼りできる封印機能を備えた仮貼り機能付き粘着シートを提供する。【解決手段】配送用の容器５０に仮貼りし、配送時に容器５０の開閉部を封印する仮貼り機能付き粘着シート１０であって、シート状基材２０と、シート状基材２０の片面に設けられた粘着層３０と、粘着層３０を介してシート状基材２０と剥離可能に接着される剥離基材４０と、剥離基材４０を第１の剥離基材部４２及び第２の剥離基材部４３に分離し、接着層３０の粘着面の表出する面積を変化させることにより、接着力を調整する接着力調整手段４１とを備える。【選択図】図１
2007264444.tif 000002
【特許請求の範囲】
【請求項１】
配送用の容器に仮貼りし、配送時に前記容器の開閉部を封印する仮貼り機能付き粘着シートであって、
シート状基材と、
前記シート状基材の片面に設けられた粘着層と、
前記粘着層を介して前記シート状基材と剥離可能に接着される剥離基材と、
前記剥離基材を第１の剥離基材部及び第２の剥離基材部に分離し、前記接着層の粘着面の表出する面積を変化させることにより、接着力を調整する接着力調整手段と、
を備える仮貼り機能付き粘着シート。
【請求項２】
請求項１に記載の仮貼り機能付き粘着シートにおいて、
前記シート状基材は、前記第１又は第２の剥離基材部のどちらか一方を剥がすことにより、前記シート状基材の一辺に沿って前記粘着層の粘着面を大小交互に表出させること、
を特徴とする仮貼り機能付き粘着シート。
【請求項３】
請求項２に記載の仮貼り機能付き粘着シートにおいて、
前記接着力調整手段は、波状、鋸状又は凹凸状の分離線であること、
を特徴とする仮貼り機能付き粘着シート。
【請求項４】
請求項１から請求項３までのいずれか１項に記載の仮貼り機能付き粘着シートにおいて、
前記第１又は第２の剥離基材部の一方は、他方と比較して十分に大きい形状であること、
を特徴とする仮貼り機能付き粘着シート。
【請求項５】
請求項４に記載の仮貼り機能付き粘着シートにおいて、
前記シート状基材は、前記第１又は第２の剥離基材部のうち小さい方を前記粘着層から剥がして、前記容器に仮貼りされること、
を特徴とする仮貼り機能付き粘着シート。
【請求項６】
請求項１から請求項５までのいずれか１項に記載の仮貼り機能付き粘着シートにおいて、
前記粘着層は、再剥離不可能な強接着剤であること、
を特徴とする仮貼り機能付き粘着シート。
【発明の詳細な説明】
【技術分野】
【０００１】
本発明は、配送などの荷物の封印に使用される仮貼り機能付き粘着シートに関するものである。
【背景技術】
【０００２】
文書リサイクル用のダンボールなどの容器は、例えば、機密文書などを含む不要紙の処理に利用するために開閉部が封緘（封印）される。封緘処理には、紐で縛ったり、包装紙で包んだりと、様々な方法が利用されているが、手間がかからないことから、粘着シールを使用して開閉部を封緘する方法が好適と考えられている（例えば、特許文献１）。しかし、紐や包装紙よりは手間がかからないが、粘着シールを別に用意する必要があり、必ずしも便利ではなかった。
【０００３】
また、リサイクルの専門業者が回収して処理する場合には、廃棄証明書などの発行の必要性から、シール自体に個別の番号やバーコードを設ける必要があり、ダンボールなどの容器と粘着シールとが一体化している必要があった。この容器と粘着シールとの一体化作業は、容器に粘着シールをセロハンテープなどで仮貼りする方法などが実施されており、専門業者が実施したり、容器と粘着シールを個別に保管することが不便と感じるときにユーザ側が独自に実施したりと様々である。
【０００４】
特許文献１は、荷受人に荷物が届けられるまでに荷物の開閉部が開封されないように封印シールを設ける配送伝票であり、貴重品や上述したような機密文書を含む荷物の配送に適しているが、封印シールと荷物（容器）の一体化は、上述のセロハンテープなどの使用に頼らざるを得ない。
しかし、裏面にもともと粘着剤を有した粘着シールを使用しているにも関わらず、新たにセロハンテープなどで粘着シールを仮貼りするというのは、資源利用の観点及び手間の観点からは必ずしも最適な方法ではなかった。セロハンテープを使用しない方法として、粘着シールの粘着剤に、再剥離可能な粘着剤を用いることなども考えられるが、容器の開閉部の封緘（封印）としては、セキュリティ性が確保できないなどの問題が生じてしまう。
【特許文献１】特開２００６−０５１７６７号公報
【発明の開示】
【発明が解決しようとする課題】
【０００５】
本発明の課題は、配送用の容器に仮貼りできる封印機能を備えた仮貼り機能付き粘着シートを提供することである。
【課題を解決するための手段】
【０００６】
本発明は、以下のような解決手段により、前記課題を解決する。なお、理解を容易にするために、本発明の実施形態に対応する符号を括弧内に付して説明するが、これに限定されるものではない。
請求項１の発明は、配送用の容器（５０）に仮貼りし、配送時に前記容器（５０）の開閉部を封印する仮貼り機能付き粘着シート（１０）であって、シート状基材（２０）と、前記シート状基材（２０）の片面に設けられた粘着層（３０）と、前記粘着層（３０）を介して前記シート状基材（２０）と剥離可能に接着される剥離基材（４０）と、前記剥離基材（４０）を第１の剥離基材部（４２）及び第２の剥離基材部（４３）に分離し、前記接着層（３０）の粘着面の表出する面積を変化させることにより、接着力を調整する接着力調整手段（４１）とを備える仮貼り機能付き粘着シート（１０）である。
【０００７】
請求項２の発明は、請求項１に記載の仮貼り機能付き粘着シート（１０）において、前記シート状基材（２０）は、前記第１又は第２の剥離基材部（４２、４３）のどちらか一方を剥がすことにより、前記シート状基材（２０）の一辺に沿って前記粘着層（３０）の粘着面を大小交互に表出させることを特徴とする仮貼り機能付き粘着シート（１０）である。
【０００８】
請求項３の発明は、請求項２に記載の仮貼り機能付き粘着シート（１０）において、前記接着力調整手段（４１）は、波状、鋸状又は凹凸状の分離線（４１）であることを特徴とする仮貼り機能付き粘着シート（１０）である。
【０００９】
請求項４の発明は、請求項１から請求項３までのいずれか１項に記載の仮貼り機能付き粘着シート（１０）において、前記第１又は第２の剥離基材部（４２、４３）の一方は、他方と比較して十分に大きい形状であることを特徴とする仮貼り機能付き粘着シート（１０）である。
【００１０】
請求項５の発明は、請求項４に記載の仮貼り機能付き粘着シート（１０）において、前記シート状基材（２０）は、前記第１又は第２の剥離基材部（４２、４３）のうち小さい方を前記粘着層（３０）から剥がして、前記容器（５０）に仮貼りされることを特徴とする仮貼り機能付き粘着シート（１０）である。
【００１１】
請求項６の発明は、請求項１から請求項５までのいずれか１項に記載の仮貼り機能付き粘着シート（１０）において、前記粘着層（３０）は、再剥離不可能な強接着剤であることを特徴とする仮貼り機能付き粘着シート（１０）である。
【発明の効果】
【００１２】
以上説明したように、本発明によれば、以下のような効果がある。
（１）仮貼り機能付き粘着シートは、シート状基材と、粘着層と、第１及び第２の剥離基材部を有した剥離基材とを備えているので、第１又は第２の剥離基材部のどちらか一方を剥がしてシート状基材を容器に仮貼りすることができ、また、他方を剥がして容器の開閉部を封印することができる。
（２）シート状基材は、第１又は第２の剥離基材部のどちらか一方を剥がすことにより、シート状基材の一辺に沿って粘着層の粘着面を大小交互に表出することができるので、容器にシート状基材を仮貼りしたときに、シート状基材を容易に容器から剥がすことができる。
【００１３】
（３）接着力調整手段は、波状、鋸状又は凹凸状の分離線であるので、第１又は第２の剥離基材部を剥がしたときに、接着層を大小交互に表出することができる。
（４）第２の剥離基材部は、第１の剥離基材部と比較して十分に大きい形状であるので、仮貼り機能付き粘着シートは、仮貼りするときは、第１の剥離基材部を剥がして接着層の表出する粘着面を小さくした状態により、接着力を弱くして容器に貼ることができ、封印するときは、第２の剥離基材部を剥がして接着層の表出する粘着面を大きくした状態により、接着力を強くして容器の開閉部に貼ることができる。
（５）接着層は、再剥離不可能な強接着剤を使用しているので、容器の開閉部の封印を確実にすることができ、セキュリティ性を向上させることができる。
【発明を実施するための最良の形態】
【００１４】
本発明は、配送用の容器に仮貼りできる封印機能を備えた仮貼り機能付き粘着シートを提供するという目的を、シート状基材の粘着層を覆う剥離基材を、分離線を挟んで第１又は第２の剥離基材部に分離させることにより実現する。
【実施例】
【００１５】
以下、図面等を参照して、本発明の実施例をあげて、さらに詳しく説明する。
図１は、本発明による実施例の封印粘着シートの詳細を示す図である。図１（Ａ）は、封印粘着シートの平面及び側面図であり、図１（Ｂ）は、第１の剥離基材部をシート状基材から剥がした平面及び側面図である。また、図１（Ｃ）〜（Ｅ）は、封印粘着シートの仮貼りから封印までの使用形態を示した図である。
【００１６】
封印粘着シート１０は、図１（Ａ）に示すように、シート状基材２０、粘着層３０及び剥離基材４０を備え、仮貼り機能を設けた箱５０の開閉部を封印するシールである。
シート状基材２０は、表面にシート名やバーコードなどが印刷され、裏面に粘着層３０を備えた普通紙である。
粘着層３０は、再剥離不可能な強接着剤である。
剥離基材４０は、分離線４１を挟んで第１の剥離基材部４２及び第２の剥離基材部４３を有し、接着層３０と再剥離可能に貼り合う剥離紙である。
【００１７】
分離線４１は、周期的に三角形を連続させた鋸状により形成されたハーフカットである。
第１の剥離基材部４２は、箱５０に封印粘着シート１０を仮貼りするときに、シート状基材２０から剥がされる剥離紙片である。第１の剥離基材部４２が剥がされることにより表出する粘着層３０は、図１（Ｂ）に示すように、分離線４１の鋸状に応じて周期的に粘着層３０が大きく表出する粘着面（寸法Ａ２＋Ａ１）と、小さく表出する粘着面（寸法Ａ１）とを交互に有しているので、封印粘着シート１０が箱５０に仮貼りされたときに、容易に剥がすことができる。本実施例では、寸法Ａ２＋Ａ１及び寸法Ａ１の比は、約５：１であるが、分離線４１の形状によりその比率は変化してもよい。
【００１８】
第２の剥離基材部４３は、箱５０の開閉部を封印するときに、シート状基材２０から剥がされる剥離紙片である。第２の剥離基材部４３の横幅（寸法Ａ３）は、分離線４１の周期的な鋸状の振幅（寸法Ａ２）よりも十分に大きいので、第２の剥離基材部４３を剥がすことにより表出する粘着層３０は、封印機能として十分な接着力を得ることができる。本実施例では、寸法Ａ３と寸法Ａ２との比は、約６：１であるが、必要に応じて変化させることができる。
箱５０は、図１（Ｃ）に示すように、機密文書を含んだリサイクル処理される複数枚の不要紙を梱包するリサイクル専用の箱である。
【００１９】
次に、封印粘着シートの使用方法について説明する。
配送業者は、図１（Ｂ）に示すように、予め封印粘着シート１０の第１の剥離基材部４２を剥がし（矢印Ｂ）、図１（Ｃ）に示すように、箱５０の側面に仮貼りをしておく（矢印Ｃ）。依頼者から不要紙のリサイクル処理の依頼がきたら、配送業者は、封印粘着シート１０を仮貼りした箱５０を依頼者へ渡す。
【００２０】
依頼者は、配送業者から受け取った箱５０に機密文書を含んだ不要紙を入れて梱包し、図１（Ｄ）に示すように、箱５０の側面に仮貼りされた封印粘着シート１０を剥がす（矢印Ｄ）。続いて、封印粘着シート１０の第２の剥離基材部４３を剥がして、図１（Ｅ）に示すように、箱５０の開閉部に封印するように貼り合せ（矢印Ｅ）、配送業者の配送人（ドライバー）に渡す。封印粘着シート１０により封印された箱５０は、適正なリサイクル処理が行なわれると、シート状基材２０の表面に印刷されたバーコードにより、配送完了の処理がなされる。
封印粘着シート１０を破らない限り、箱５０は開梱できないので、不要紙に含まれる機密文書が第三者に見られることを防ぐことができる。また、配送完了の処理の日付が、リサイクル処理の完了日となるので、機密文書が含まれた不要紙のリサイクル処理の確認及び証明を容易に行なうことができる。
【００２１】
以上より、実施例の封印粘着シート１０には以下のような効果がある。
（１）封印粘着シート１０は、シート状基材２０と、粘着層３０と、第１及び第２の剥離基材部４２，４３を有した剥離基材４０とを備えているので、第１の剥離基材部４２を剥がしてシート状基材２０を箱５０に仮貼りすることができ、また、第２の剥離基材部４３を剥がして箱５０の開閉部を封印することができる。
（２）シート状基材２０は、第１の剥離基材部４２を鋸状の分離線４１により剥がし、シート状基材２０の一辺に沿って粘着層３０の粘着面を大小交互に表出することができるので、箱５０に封印粘着シート１０を仮貼りしたときに、封印粘着シート１０を箱５０から剥がすことができる。
【００２２】
（３）分離線４１は、三角形を連続して形成した鋸状であるので、仮貼りした封印粘着シート１０を最も効率よく剥がすことができる。
（４）第２の剥離基材部４３は、第１の剥離基材部４２と比較して十分に大きい形状であるので、封印粘着シート１０は、仮貼りするときは、第１の剥離基材部４２を剥がして接着層３０の表出する粘着面を小さくした状態により、接着力を弱くして箱５０に貼ることができ、封印するときは、第２の剥離基材部４３を剥がして接着層３０の表出する粘着面を大きくした状態により、接着力を強くして箱５０の開閉部に貼ることができる。
（５）接着層３０は、再剥離不可能な強接着剤を使用しているので、箱５０の開閉部の封印を確実にすることができ、セキュリティ性を向上させることができる。
【００２３】
（変形例）
以上説明した実施例に限定されることなく、種々の変形や変更が可能であって、それらも本発明の均等の範囲内である。
（１）実施例では、分離線４１の形状は二等辺三角形の鋸状としたが、その他の形状にしてもよい。例えば、矩形や台形を含む凹凸状や、図２に示すような直角三角形の鋸状や、半円を連ねた波状を用いることも可能である。
（２）実施例では、第１の剥離基材部４２は１枚で形成されていたが、複数枚に分離されてもよい。例えば、図３に示すように、三角形の第１の剥離基材部４２を複数個備えていてもよい。
（３）剥離基材４０は、分離線４１に加え他の分離線を備えてもよい。例えば、剥離基材４０を接着層３０から剥がしやすくするためのハーフカットを設けることも可能である。
（４）実施例では、シート状基材２０の表面は、シート名及びバーコードが印刷されたが、それ以外の情報を印刷してもよい。例えば、宛先、差出人などの情報を記載する欄を設けることも可能である。
【図面の簡単な説明】
【００２４】
【図１】本発明による実施例の封印粘着シートの詳細を示す図である。
【図２】本発明による実施例の封印粘着シートの分離線の変形例を示す図である。
【図３】本発明による実施例の封印粘着シートの第１の剥離基材部の変形例を示す図である。
【符号の説明】
【００２５】
１０  封印粘着シート
２０  シート状基材
３０  粘着層
４０  剥離基材
４１  分離線
４２  第１の剥離基材部
４３  第２の剥離基材部
５０  箱
【図１】
2007264444.tif 000003
【図２】
2007264444.tif 000004
【図３】
2007264444.tif 000005